(57)【要約】  放送番組処理装置は、それぞれが少なくとも１つの広告映像を含む複数の映像コンテンツを記憶手段に記憶させる映像コンテンツ記録手段を含み、前記記憶手段に記憶される映像コンテンツのいずれかに対する再生指示を受ける前に、当該映像コンテンツに含まれる広告映像を、差替用の広告映像に変更し、前記映像コンテンツのいずれかに対する再生指示を受けた場合に、前記広告映像が変更された当該映像コンテンツを再生する。
2013088822.tif 000002
【特許請求の範囲】
【請求項１】
それぞれが少なくとも１つの広告映像を含む複数の映像コンテンツを記憶手段に記憶させる映像コンテンツ記録手段と、
前記記憶手段に記憶される映像コンテンツのいずれかに対する再生指示を受ける前に、当該映像コンテンツに含まれる広告映像を、差替用の広告映像に変更する映像変更手段と、
前記映像コンテンツのいずれかに対する再生指示を受けた場合に、前記広告映像が変更された当該映像コンテンツを再生する再生手段と、
を含むことを特徴とする放送番組処理装置。
【請求項２】
前記映像変更手段は、予め定められたスケジュールに従って、前記映像コンテンツのいずれかに含まれる広告映像を、差替用の広告映像に変更する、
ことを特徴とする請求項１に記載の放送番組処理装置。
【請求項３】
前記映像変更手段は、放送信号から予め定められた開始信号を取得した場合に、前記映像コンテンツのいずれかに含まれる広告映像を、前記差替用の広告映像に変更する、
ことを特徴とする請求項１に記載の放送番組処理装置。
【請求項４】
前記複数の映像コンテンツに含まれる広告映像のそれぞれの有効期限を取得する差替管理情報取得手段をさらに含み、
前記映像変更手段は、前記広告映像のそれぞれの有効期限に基づいて、前記映像コンテンツのいずれかに含まれる広告映像を、差替用の広告映像に変更する、
ことを特徴とする請求項１から３のいずれかに記載の放送番組処理装置。
【請求項５】
前記差替用の広告映像と変更対象となる広告映像とを対応づける対応情報を取得する差替管理情報取得手段をさらに含み、
前記映像変更手段は、前記各映像コンテンツに含まれる前記変更対象となる広告映像を当該変更対象となる広告映像に対応する前記差替用の広告映像に変更する、
ことを特徴とする請求項１から３のいずれかに記載の放送番組処理装置。
【請求項６】
前記差替用の広告映像と前記差替用の広告映像を再生する再生条件とを放送局から送信される放送信号または通信回線を介して接続されるサーバから取得する差替映像取得手段をさらに含み、
前記映像変更手段は、前記映像コンテンツのいずれかに含まれる広告映像の１つを再生条件に応じた複数の差替用の広告映像に変更し、
前記再生手段は、再生時の状況と前記再生条件とに基づいて、前記映像コンテンツのいずれかに含まれる１つの広告映像が変更された複数の差替用の広告映像のうち１つを再生する、
ことを特徴とする請求項１から３のいずれかに記載の放送番組処理装置。
【請求項７】
前記再生条件は、前記差替用の広告映像を再生する時間帯を含み、
前記再生手段は、再生時刻と前記再生条件とに基づいて、前記映像コンテンツのいずれかに含まれる１つの広告映像が変更された複数の差替用の広告映像のうち１つを再生する、
ことを特徴とする請求項６に記載の放送番組処理装置。
【請求項８】
それぞれが少なくとも１つの広告映像を含む複数の映像コンテンツを記憶手段に記憶させる映像コンテンツ記録ステップと、
前記記憶手段に記憶される映像コンテンツのいずれかに対する再生指示を受ける前に、当該映像コンテンツに含まれる広告映像を、差替用の広告映像に変更する映像変更ステップと、
前記映像コンテンツのいずれかに対する再生指示を受けた場合に、前記広告映像が変更された当該映像コンテンツを再生する再生ステップと、
を含むことを特徴とする放送番組処理方法。
【請求項９】
それぞれが少なくとも１つの広告映像を含む複数の映像コンテンツを記憶手段に記憶させる映像コンテンツ記録手段、
前記記憶手段に記憶される映像コンテンツのいずれかに対する再生指示を受ける前に、当該映像コンテンツに含まれる広告映像を、差替用の広告映像に変更する映像変更手段、および、
前記映像コンテンツのいずれかに対する再生指示を受けた場合に、前記広告映像が変更された当該映像コンテンツを再生する再生手段、
としてコンピュータを機能させるためのプログラム。
【請求項１０】
それぞれが少なくとも１つの広告映像を含む複数の映像コンテンツを記憶手段に記憶させる映像コンテンツ記録手段、
前記記憶手段に記憶される映像コンテンツのいずれかに対する再生指示を受ける前に、当該映像コンテンツに含まれる広告映像を、差替用の広告映像に変更する映像変更手段、および、
前記映像コンテンツのいずれかに対する再生指示を受けた場合に、前記広告映像が変更された当該映像コンテンツを再生する再生手段、
としてコンピュータを機能させるためのプログラムを記憶したコンピュータ読み取り可能な記憶媒体。
【請求項１１】
放送番組処理装置が記憶手段に記憶される映像コンテンツに対する再生指示がされる前に当該映像コンテンツに含まれる広告映像を変更するための差替用の広告映像を当該放送番組処理装置に向けて送信する送信手段、
を含むことを特徴とする放送局装置。
【請求項１２】
前記送信手段は、前記放送番組処理装置に対し前記映像コンテンツに含まれる広告映像を前記差替用の広告映像に変更する処理を開始させる開始信号をさらに送信する、
ことを特徴とする請求項１１に記載の放送局装置。
【請求項１３】
放送番組処理装置が記憶手段に記憶される映像コンテンツに対する再生指示がされる前に当該映像コンテンツに含まれる広告映像を変更するための差替用の広告映像を当該放送番組処理装置に向けて送信する送信手段、
を含むことを特徴とする情報配信サーバ。
【発明の詳細な説明】
【技術分野】
【０００１】
本発明は放送番組処理装置、放送番組処理方法、放送局装置、情報配信サーバ、プログラム及び情報記憶媒体に関し、特に広告映像を含む映像コンテンツを処理する技術に関する。
【背景技術】
【０００２】
現在、多くのユーザがテレビ放送による放送番組の映像コンテンツをレコーダーに録画し、また各自の都合に合わせた時間にその映像コンテンツを再生して視聴している。また一般的には、放送番組の映像コンテンツのうち一定の時間に広告映像が挿入されることが多い。【０００３】
映像コンテンツを再生するタイミングによっては、その映像コンテンツに挿入される広告映像が再生されても、広告としての効果が減殺されることがある。例えば、映像コンテンツが録画されてから再生されるまでの期間に季節が変われば、季節性の商品に対する広告映像の効果はなくなってしまう。このような場合に対応するために、録画された映像コンテンツを再生する際に、録画された広告映像を他の広告映像に差替えて表示させる技術がある。特許文献１には、録画された映像コンテンツを再生する際に広告映像を差替える技術が開示されている。
【先行技術文献】
【特許文献】
【０００４】
【特許文献１】特許４４１９３２４号
【発明の概要】
【発明が解決しようとする課題】
【０００５】
録画された映像コンテンツに含まれる広告映像を他の映像に差替える処理は、一種の動画編集処理であるため、再生処理に比べて処理負荷が大きい。そのため、広告映像を差替える処理の速度が再生速度に追いつかなくなり、広告映像が差替えられた映像コンテンツの表示が間に合わなくなる恐れがあった。特に、早送りや巻き戻しなどを行う場合にこの現象が懸念される。【０００６】
本発明は上記課題を鑑みてなされたものであって、その目的は、広告映像を差替える場合に、広告映像が差替えられた映像コンテンツの表示が間に合わなくなる恐れをなくす技術を提供することにある。
【課題を解決するための手段】
【０００７】
上記課題を解決するために、本発明にかかる放送番組処理装置は、それぞれが少なくとも１つの広告映像を含む複数の映像コンテンツを記憶手段に記憶させる映像コンテンツ記録手段と、前記記憶手段に記憶される映像コンテンツのいずれかに対する再生指示を受ける前に、当該映像コンテンツに含まれる広告映像を、差替用の広告映像に変更する映像変更手段と、前記映像コンテンツのいずれかに対する再生指示を受けた場合に、前記広告映像が変更された当該映像コンテンツを再生する再生手段と、を含むことを特徴とする。【０００８】
また、本発明にかかる放送番組処理方法は、それぞれが少なくとも１つの広告映像を含む複数の映像コンテンツを記憶手段に記憶させる映像コンテンツ記録ステップと、前記記憶手段に記憶される映像コンテンツのいずれかに対する再生指示を受ける前に、当該映像コンテンツに含まれる広告映像を、差替用の広告映像に変更する映像変更ステップと、前記映像コンテンツのいずれかに対する再生指示を受けた場合に、前記広告映像が変更された当該映像コンテンツを再生する再生ステップと、を含むことを特徴とする。【０００９】
また、本発明にかかるプログラムは、それぞれが少なくとも１つの広告映像を含む複数の映像コンテンツを記憶手段に記憶させる映像コンテンツ記録手段、前記記憶手段に記憶される映像コンテンツのいずれかに対する再生指示を受ける前に、当該映像コンテンツに含まれる広告映像を、差替用の広告映像に変更する映像変更手段、および、前記映像コンテンツのいずれかに対する再生指示を受けた場合に、前記広告映像が変更された当該映像コンテンツを再生する再生手段、としてコンピュータを機能させることを特徴とする。【００１０】
また、本発明にかかるコンピュータ読み取り可能な記憶媒体は、それぞれが少なくとも１つの広告映像を含む複数の映像コンテンツを記憶手段に記憶させる映像コンテンツ記録手段、前記記憶手段に記憶される映像コンテンツのいずれかに対する再生指示を受ける前に、当該映像コンテンツに含まれる広告映像を、差替用の広告映像に変更する映像変更手段、および、前記映像コンテンツのいずれかに対する再生指示を受けた場合に、前記広告映像が変更された当該映像コンテンツを再生する再生手段、としてコンピュータを機能させるためのプログラムを記憶する。【００１１】
また、本発明にかかる放送局装置は、放送番組処理装置が記憶手段に記憶される映像コンテンツに対する再生指示がされる前に当該映像コンテンツに含まれる広告映像を変更するための差替用の広告映像を当該放送番組処理装置に向けて送信する送信手段、を含むことを特徴とする。【００１２】
また、本発明にかかる情報配信サーバは、放送番組処理装置が記憶手段に記憶される映像コンテンツに対する再生指示がされる前に当該映像コンテンツに含まれる広告映像を変更するための差替用の広告映像を当該放送番組処理装置に向けて送信する送信手段、を含むことを特徴とする。【００１３】
本発明によれば、広告映像を差替える場合に、映像コンテンツの表示が間に合わなくなる恐れを解消することができる。【００１４】
本発明の一態様では、前記映像変更手段は、予め定められたスケジュールに従って、前記映像コンテンツのいずれかに含まれる広告映像を、差替用の広告映像に変更してもよい。【００１５】
本発明の一態様では、前記映像変更手段は、放送信号から予め定められた開始信号を取得した場合に、前記映像コンテンツのいずれかに含まれる広告映像を、前記差替用の広告映像に変更してもよい。【００１６】
本発明の一態様では、前記放送番組処理装置は、前記複数の映像コンテンツに含まれる広告映像のそれぞれの有効期限を取得する差替管理情報取得手段をさらに含み、前記映像変更手段は、前記広告映像のそれぞれの有効期限に基づいて、前記映像コンテンツのいずれかに含まれる広告映像を、差替用の広告映像に変更してもよい。【００１７】
本発明の一態様では、前記放送番組処理装置は、前記差替用の広告映像と変更対象となる広告映像とを対応づける対応情報を取得する差替管理情報取得手段をさらに含み、前記映像変更手段は、前記各映像コンテンツに含まれる前記変更対象となる広告映像を当該変更対象となる広告映像に対応する前記変更用の広告映像に変更してもよい。【００１８】
本発明の一態様では、前記放送番組処理装置は、前記差替用の広告映像と前記差替用の広告映像を再生する再生条件とを放送局から送信される放送信号または通信回線を介して接続されるサーバから取得する差替映像取得手段をさらに含み、前記映像変更手段は、前記映像コンテンツのいずれかに含まれる広告映像の１つを再生条件に応じた複数の差替用の広告映像に変更し、前記再生手段は、再生時の状況と前記再生条件とに基づいて、前記映像コンテンツのいずれかに含まれる１つの広告映像が変更された複数の差替用の広告映像のうち１つを再生してもよい。【００１９】
本発明の一態様では、前記再生条件は、前記差替用の広告映像を再生する時間帯を含み、前記再生手段は、再生時刻と前記再生条件とに基づいて、前記映像コンテンツのいずれかに含まれる１つの広告映像が変更された複数の差替用の広告映像のうち１つを再生してもよい。【００２０】
本発明の一態様では、前記送信手段は、前記放送番組処理装置に対し前記映像コンテンツに含まれる広告映像を前記差替用の広告映像に変更する処理を開始させる開始信号をさらに送信してもよい。
【図面の簡単な説明】
【００２１】
【図１】本発明の実施形態にかかる放送システムの構成の一例を示す図である。
【図２】本発明の実施形態にかかる番組録画装置の構成の一例を示す図である。
【図３】本発明の実施形態にかかる番組録画装置の機能ブロックを示す図である。
【図４】本発明の実施形態にかかる放送システムの動作の一例を概略的に示すシーケンス図である。
【図５】放送番組の映像コンテンツを示す映像データの一例を説明する図である。
【図６】１つの広告に対応する差替広告データの構成の一例を示す図である。
【図７】有効期限情報の一例を示す図である。
【図８】映像変更部の処理フローの一例を示す図である。
【図９】変更された広告部を示すデータの構成の一例を示す図である。
【図１０】選択メタデータの一例を示す図である。
【図１１】再生指示画面の一例を示す図である。
【発明を実施するための形態】
【００２２】
以下では、本発明の実施形態について図面に基づいて説明する。図１は、本発明の実施形態にかかる放送システムの構成の一例を示す図である。この放送システムは、番組録画装置１と、テレビ受像器２と、受信アンテナ３と、放送局装置４と、広告情報サーバ５と、ネットワーク６とを含んでいる。放送局装置４は、広告映像を含む放送番組の映像コンテンツが符号化された放送信号やデータ放送のデータが符号化された放送信号を送信する。番組録画装置１は放送局装置４から送信される放送信号を受信アンテナ３を介して受信し、その映像コンテンツを録画する。また番組録画装置１は録画された映像コンテンツを再生する際には、映像をテレビ受像器２に表示させる。また、広告情報サーバ５は、広告映像に関する情報や、放送番組中の広告映像と差替えられる差替用の広告映像をネットワーク６を介して配信する。ネットワーク６は、例えばインターネットである。
【００２３】
図２は、本発明の実施形態にかかる番組録画装置１の構成の一例を示す図である。番組録画装置１は、中央制御部１１と、記憶部１２と、チューナ１３と、通信部１４と、表示制御部１５と、表示操作部１６とを含んでいる。
【００２４】
中央制御部１１は、記憶部１２に格納されているプログラムに従って動作し、チューナ１３や、通信部１４、表示制御部１５、表示操作部１６を制御する。なお、上記プログラムは、番組録画装置１の製造時に記憶部１２に格納されるものであってもよいし、ＤＶＤ−ＲＯＭ等のコンピュータで読み取り可能な情報記憶媒体に格納されて提供されるものであってもよいし、インターネット等のネットワーク６を介して提供されるものであってもよい。
【００２５】
記憶部１２は、ＲＡＭやＲＯＭ等のメモリ素子と、ハードディスクドライブと、ＤＶＤやブルーレイディスク等の可搬型メディアのメディアドライブとによって構成されている。記憶部１２は、上記プログラムを格納する。また、記憶部１２は、録画される放送番組の映像コンテンツの映像データなど、各部から入力される情報や演算結果を記憶する。
【００２６】
チューナ１３は、地上波や衛星波などを用いて送信される放送信号を、受信アンテナ３を介して取得する。チューナ１３はケーブルテレビネットワークなどの有線通信網を介して放送信号を取得してもよい。チューナ１３は、取得した放送信号を復号し、広告映像を含む放送番組の映像コンテンツ（音声付き動画）の映像データを生成する。チューナ１３は、また放送信号を復号し、データ放送の受信データを生成する。以下では、１つの映像コンテンツは、ユーザの１回の録画予約や１回の録画操作によって記録される放送番組のコンテンツを意味するものとして説明する。
【００２７】
通信部１４は有線ＬＡＮを構成する集積回路や通信端子などにより構成されている。通信部１４は、他の装置と通信する機能を有し、ネットワーク６を介して広告情報サーバ５とも通信する機能を有する。通信部１４は、ＣＰＵ１１の制御に基づいて、他の装置から受信した情報をＣＰＵ１１や記憶部１２に入力し、他の装置に情報を送信する。
【００２８】
表示制御部１５は、中央制御部１１の制御に従って、チューナ１３が生成した映像データや、記憶部１２に含まれるハードディスクドライブや可搬型メディアに記憶された映像データを変換し、テレビ受像器２が、映像データが示す動画を表示し、映像データが示す音声を出力するように制御する。
【００２９】
表示操作部１６は、主に番組録画装置１の筐体の前面に配置される表示パネルや、ユーザからの操作を入力するためのボタン、またリモコンなどの外部の入力手段からの情報を取得する回路などにより構成されている。表示操作部１６は、中央制御部１１の制御に基づいて、ユーザからの操作および指示内容を取得し、また番組録画装置１の状態等を表示パネル等を介してユーザに向けて表示する。
【００３０】
図３は、本発明の実施形態にかかる番組録画装置１の機能ブロックを示す図である。番組録画装置１は機能的に、録画部７１、再生部７２、録画データ格納部７３、差替情報取得部７４、差替情報格納部７７、映像変更部７８を含む。また差替情報取得部７４は、差替映像取得部７５と差替管理情報取得部７６とを含む。これらの機能は、中央制御部１１が記憶部１２に格納されたプログラムを実行し、チューナ１３、通信部１４、表示制御部１５等を制御することによって実現される。
【００３１】
録画データ格納部７３は、記憶部１２のうち特にハードディスクドライブなどの電源を切っても記憶を保持する記憶装置を中心として実現される。録画データ格納部７３は、録画部７１から入力される放送番組の映像コンテンツを示す映像データや、映像変更部７８によって広告映像が差替えられた映像コンテンツの映像データを格納する。
【００３２】
差替情報格納部７７は、記憶部１２のうち特に電源を切っても記憶を保持する記憶装置を中心として実現される。差替情報格納部７７は、差替情報取得部７４が取得した有効期限情報や対応情報を格納する。有効期限情報や対応情報の詳細については後述する。
【００３３】
また、図示しないが、放送局装置４は、放送用の信号を番組録画装置１に向けて送信する送信部を有する。また、広告情報サーバ５は、中央制御部や記憶部、通信部を中心として実現され、番組録画装置１からのリクエストに応じてその番組録画装置１に情報を送信する送信部を有する。広告情報サーバ５に含まれる送信部は、番組録画装置１からのリクエストがない場合でも情報を送信してもよい。例えば一定時間ごとに情報をその番組録画装置１に送信してもよい。
【００３４】
図４は、本発明の実施形態にかかる放送システムの動作シーケンスの一例を概略的に示すシーケンス図である。以下では、放送システムの動作の概略とともに各機能の動作について説明する。以下では、映像は動画と音声とを含むものとして説明する。
【００３５】
はじめに、放送局装置４は、放送番組の映像コンテンツを示す映像データを符号化した放送信号を番組録画装置１に向けて送信する。図５は、放送番組の映像コンテンツを示す映像データの一例を説明する図である。放送番組の映像コンテンツは、時系列に沿って、放送番組の複数の本編部と、複数の広告部とが並んで構成されている。１つの広告部は、１種類の広告の映像（１つの商品やサービスを広告する映像に相当し、以下では広告映像と記載する）に相当する。以下では、各本編部の映像に相当する映像データを本編映像データと記載し、広告部の映像に相当する映像データを広告映像データと記載する。広告映像データには、ＣＭコードも埋め込まれている。ＣＭコードは、４桁の広告事業者コードと６桁の素材コードとからなり、放送される広告映像を一意に識別することができる情報である。なお、放送番組の映像コンテンツを示す映像データ中に本編部と広告部との境界は、ＣＭコードが埋め込まれているか否かや、音声や輝度の変化などによって間接的に示されていてもよい。
【００３６】
録画部７１は、中央制御部１１を中心として実現される。録画部７１は、放送局装置４が送信した放送信号に基づいてチューナ１３が生成した映像データを取得し、予め設定された方法でその映像データを圧縮し、圧縮された映像データを録画データ格納部７３に格納する。録画部７１は、映像データを物理的には記憶部１２に記憶させる。
【００３７】
次に、放送局装置４は、放送番組の映像コンテンツに含まれる広告映像を差替えるための差替用広告映像を出力させる広告映像データを含む差替広告データと、その差替用広告映像に変更される（差替えられる）広告映像に関する差替管理情報とを送信する。放送局装置４は差替広告データおよび差替管理情報を、例えばテレビ放送の放送信号のうちデータ放送の領域を用いて放送番組と並行して送信してもよいし、放送局装置４がこれらの情報を広告情報サーバ５にアップロードし、広告情報サーバ５に配信させてもよい。また、差替広告データと差替管理情報とは、互いに異なるタイミングに送信されてもよい。なお、放送番組を送信するタイミングより差替広告データを送信するタイミングが早くても構わない。例えば、ある差替用広告映像の有効期限が、その差替用広告映像より後に放送される放送番組に含まれる広告映像より有効期限が遅い場合には、放送番組の広告映像より先に配信された差替用広告映像と差替えられうるからである。
【００３８】
差替映像取得部７５は、中央制御部１１を中心として実現される。差替映像取得部７５は、放送局装置４から送信される差替広告データをチューナ１３を介して取得し、差替情報格納部７７に格納する。差替映像取得部７５は、取得した差替広告データを物理的には記憶部１２に記憶させる。
【００３９】
図６は、１つの広告に対応する差替広告データの構成の一例を示す図である。差替広告データは、ＣＭコードと、再生条件情報と、差替用広告映像（音声付き動画）を出力させる広告映像データとを含む。ＣＭコードは、放送番組の映像コンテンツに含まれるＣＭコードと同じものである。再生条件情報は、差替用広告映像を再生する条件を示す情報である。再生条件の一例として、以下では映像コンテンツの再生が行われる時間帯を示しているが、再生操作をしたユーザの年齢層や性別といった再生条件を用いてもよい。
【００４０】
差替管理情報取得部７６は、中央制御部１１を中心として実現される。差替管理情報取得部７６は、放送局装置４から送信される差替管理情報をチューナ１３を介して取得し、差替情報格納部７７に格納する。差替管理情報取得部７６は、取得した差替管理情報を物理的には記憶部１２に記憶させる。差替管理情報は、有効期限情報と、対応情報とを含む。有効期限情報は、放送番組の映像コンテンツに含まれる広告映像の有効期限を示し、対応情報は、送信される差替用広告映像と、その差替用広告映像に差替えられる変更対象の広告映像とを対応づける情報である。
【００４１】
図７は、有効期限情報の一例を示す図である。有効期限情報は、放送番組の映像コンテンツに含まれて配信される広告映像のＣＭコードと、その広告映像の有効期限の情報とを含む。有効期限情報を用いることにより、映像コンテンツの一部として録画データ格納部７３に格納された広告映像の有効期限が求められる。対応情報は、再生条件も考慮した情報であってよく、対応情報によって、例えば１つの変更対象の広告映像に互いに再生条件が重ならない複数の差替用広告映像が対応づけられてもよい。ここで、差替情報取得部７４は、ネットワーク６を介して差替用広告映像や差替管理情報を取得してもよい。例えば、差替映像取得部７５が広告情報サーバ５から差替用広告映像を取得し、差替管理情報取得部７６が広告情報サーバ５から差替管理情報を取得してもよい。
【００４２】
次に、映像変更部７８は、差替情報格納部７７に格納された映像コンテンツのいずれかに対する再生指示を受ける前に、その映像コンテンツに含まれる広告映像を差替用広告映像に変更する。言い換えれば、再生指示以外の何らかのトリガによって再生指示を受ける前に映像コンテンツの広告映像が差替えられる。より具体的な例としては、予め定められたスケジュールに従って、録画データ格納部７３に格納された録画済の映像コンテンツの少なくとも一部に含まれる広告映像を差替情報格納部７７に格納された差替用広告映像に変更する。ここで、広告映像が差替えられた映像コンテンツは録画データ格納部７３に格納される。
【００４３】
図８は、映像変更部７８の処理フローの一例を示す図である。映像変更部７８は、はじめに、起動スケジュールに応じたタイミングまで処理を待機する（ステップＳ１０１）。ここで、起動スケジュールは、例えば毎日の決められた時刻や、特定の曜日のある時刻に処理を行わせるものであってもよいし、電源がオフされてから一定時間経過後など別の動作を基準とする相対的な時間に処理を行わせるものであってもよい。
【００４４】
映像変更部７８は、起動スケジュールに応じたタイミングになると、ステップＳ１０２の処理に移る。ステップＳ１０２では、映像変更部７８は、録画済の映像コンテンツのうち、はじめの映像コンテンツの映像データを取得する。次に、映像変更部７８は、取得された映像コンテンツの映像データから、複数の広告映像のそれぞれを識別するＣＭコードを取得する（ステップＳ１０３）。映像変更部７８は、取得したＣＭコードと有効期限情報や対応情報に基づいて、差替対象となる広告映像を特定する（ステップＳ１０４）。より具体的には、映像変更部７８は、以下の２つの処理のそれぞれにより広告映像のＣＭコードと開始時間とを特定する。１つめの処理は、取得したＣＭコードと有効期限情報とから各広告映像の有効期限を取得し、有効期限を過ぎた広告映像を特定することであり。２つめの処理は、取得したＣＭコードと対応情報とから、対応情報において変更対象とされている広告映像を特定することである。
【００４５】
次に、映像変更部７８は、差替対象となる広告映像のそれぞれに対する差替用の広告映像（具体的には差替用広告映像のＣＭコード）を選択する（ステップＳ１０５）。対応情報に基づいて特定された差替対象となる広告映像であれば、映像変更部７８は対応情報により対応づけられる差替用の広告映像のＣＭコードを選択する。また有効期限情報に基づいて特定された差替対象となる広告映像であれば、差替用の広告映像は、差替対象となる広告映像との関連性に基づいて選択される。例えば、差替対象となる広告映像が広告する広告対象企業（以下、元企業とする）と、差替用の広告映像が広告する広告対象企業（以下、先企業とする）との関係に基づいて差替用の広告映像が選択される。先企業が元企業と同じになるように差替用の広告映像を選択してもよいし、先企業が元企業の競合会社とならないように差替用の広告映像を選択してもよい。映像変更部７８は、具体的にはＣＭコードと企業とを対応づける広告企業情報や、差替対象となる広告映像と差替えを拒否する広告映像とを関連づけるブラックリスト情報を用いて、差替用の広告映像を選択する。なお、広告企業情報やブラックリスト情報は、予め差替管理情報取得部７６で取得しておく。
【００４６】
次に、映像変更部７８は、差替対象となる広告映像をそれに対して選択された差替用の広告映像に変更する（ステップＳ１０６）。差替え対象となる広告映像を差替用の広告映像に変更する処理は、例えば、広告映像に対応する広告映像データを検出する処理、検出された広告映像データを削除する処理、そして広告映像データが削除された箇所に差替用の広告映像を出力させる広告映像データを挿入する処理からなる。
【００４７】
この際、映像変更部７８は、映像コンテンツに含まれる広告映像の１つを、再生条件に応じた複数の差替用の広告映像に変更してもよい。図９は、変更された広告部を示すデータの構成の一例を示す図である。図１０は、選択メタデータの一例を示す図である。図９および図１０の例では、１つの広告部に相当する広告映像データは、選択メタデータと、それぞれが１つの広告映像に対応する３つの広告映像データに変更される。選択メタデータは、複数の再生条件と、再生条件に対応する広告映像を識別する情報とを関連づける情報である。このように広告映像データが変更された広告部を再生する際に、再生条件のいずれかを満たす場合には、その再生条件に対応する広告映像データの内容が再生される。例えば、深夜の時間帯には大人向けの広告映像が再生され、昼間など学校帰りの子どもが見ることの多い時間帯には子ども向けの広告映像が再生されるように再生条件を設定することで、視聴者に応じた広告の提供が可能になり、広告の効果を増すことが可能になる。
【００４８】
そして、全ての映像コンテンツについてこれまでの処理がなされていない場合は（ステップＳ１０７のＮ）、映像変更部７８は次の映像コンテンツを取得し（ステップＳ１０８）、ステップＳ１０３から繰り返す。全ての映像コンテンツについて処理がされた場合は、映像変更部７８の処理を終了する。なお、通常は処理終了後に映像変更部７８は再び起動され、ステップＳ１０１の待機状態になる。
【００４９】
ここで、映像変更部７８は、ステップＳ１０１でスケジュールに応じたタイミングまで待機する代わりに、放送信号から予め定められた開始を示す信号を取得するまで待機してもよい。映像変更部７８は、その開始を示す信号を取得すると広告映像を差替える処理を開始する。差替広告データがその開始を示す信号であってもよい。また、広告情報サーバ５が、予め定められた開始を示す情報を送信してもよい。
【００５０】
再生部７２は、中央制御部１１および表示制御部１５を中心として実現される。再生部７２は、ユーザから映像コンテンツのいずれかに対する再生指示を受けた場合に、その再生指示をうけた映像コンテンツを出力させる映像データを録画データ格納部７３から取得し、再生する。再生部７２は、再生の際に表示制御部１５を用いてテレビ受像器２にその映像コンテンツの映像を表示させ、その映像コンテンツの音声を出力させるよう制御する。当然、その再生する映像コンテンツは、映像変更部７８により広告映像が変更された映像コンテンツであってもよい。また、広告映像の１つが再生条件に応じた複数の差替用の広告映像に変更された場合には、再生部７２は、再生を行う時刻などの再生環境に関する情報を取得し、再生条件に応じてその１つの広告映像が変更された複数の広告映像のうち１つの広告映像を選択的に再生する。これにより再生部７２は、例えば再生時刻に応じた広告映像を再生する。
【００５１】
図１１は、再生指示画面の一例を示す図である。再生部７２は、再生指示画面をテレビ受像器２に出力させ、その再生指示画面に表示される複数の映像コンテンツのうち１つをユーザに選択させ、再生指示として受け取る。再生部７２は、再生指示を示すユーザの操作を表示操作部１６を介して取得する。ここで、映像変更部７８により広告映像が変更された映像コンテンツについては、再生部７２は再生指示画面にその旨を示す画像を表示する。図１１の例では、その映像コンテンツをあらわす行の右側に、差替えられた広告映像が紹介する商品を示すアイコンが表示される。
【００５２】
なお、再生部７２は、どの広告映像が再生されたかについて視聴レポートを広告情報サーバ５等に送信してもよい。そうすれば、広告主が広告がどれだけ見られたかをより正確に把握するようになり、放送番組のリアルタイム視聴以外の再生について効果を測定することが可能になる。
【図１】
2013088822.tif 000003
【図２】
2013088822.tif 000004
【図３】
2013088822.tif 000005
【図４】
2013088822.tif 000006
【図５】
2013088822.tif 000007
【図６】
2013088822.tif 000008
【図７】
2013088822.tif 000009
【図８】
2013088822.tif 000010
【図９】
2013088822.tif 000011
【図１０】
2013088822.tif 000012
【図１１】
2013088822.tif 000013
【手続補正書】
【提出日】平成25年6月4日(2013.6.4)
【手続補正１】
【補正対象書類名】特許請求の範囲
【補正対象項目名】全文
【補正方法】変更
【補正の内容】
【特許請求の範囲】
【請求項１】
それぞれが少なくとも１つの広告映像データと少なくとも１つの本編映像データとを含む複数の映像データを記憶手段に記憶させる映像データ記録手段と、
前記記憶手段に記憶される映像データのいずれかに対する再生指示を受ける前に、当該映像データに含まれる広告映像データを、差替用の広告映像データに差替える映像変更手段と、
前記映像データのいずれかに対する再生指示を受けた場合に、前記広告映像データが差替えられた当該映像データを再生する再生手段と、
を含むことを特徴とする放送番組処理装置。
【請求項２】
前記映像変更手段は、予め定められたスケジュールに従って、前記映像データのいずれかに含まれる広告映像データを、差替用の広告映像データに差替える、
ことを特徴とする請求項１に記載の放送番組処理装置。
【請求項３】
前記映像変更手段は、放送信号から予め定められた開始信号を取得した場合に、前記映像データのいずれかに含まれる広告映像データを、前記差替用の広告映像データに差替える、
ことを特徴とする請求項１に記載の放送番組処理装置。
【請求項４】
前記複数の映像データに含まれる広告映像データのそれぞれの有効期限を取得する差替管理情報取得手段をさらに含み、
前記映像変更手段は、前記広告映像データのそれぞれの有効期限に基づいて、前記映像データのいずれかに含まれる広告映像データを、差替用の広告映像データに差替える、
ことを特徴とする請求項１から３のいずれかに記載の放送番組処理装置。
【請求項５】
前記差替用の広告映像データと変更対象となる広告映像データとを対応づける対応情報を取得する差替管理情報取得手段をさらに含み、
前記映像変更手段は、前記各映像データに含まれる前記変更対象となる広告映像データを当該変更対象となる広告映像データに対応する前記差替用の広告映像データに差替える、
ことを特徴とする請求項１から３のいずれかに記載の放送番組処理装置。
【請求項６】
前記差替用の広告映像データと前記差替用の広告映像データを再生する再生条件とを放送局から送信される放送信号または通信回線を介して接続されるサーバから取得する差替映像取得手段をさらに含み、
前記映像変更手段は、前記映像データのいずれかに含まれる広告映像データの１つを再生条件に応じた複数の差替用の広告映像データに差替え、
前記再生手段は、再生時の状況と前記再生条件とに基づいて、前記映像データのいずれかに含まれる１つの広告映像データが差替えられた複数の差替用の広告映像データのうち１つを再生する、
ことを特徴とする請求項１から３のいずれかに記載の放送番組処理装置。
【請求項７】
前記再生条件は、前記差替用の広告映像データを再生する時間帯を含み、
前記再生手段は、再生時刻と前記再生条件とに基づいて、前記映像データのいずれかに含まれる１つの広告映像データが差替えられた複数の差替用の広告映像データのうち１つを再生する、
ことを特徴とする請求項６に記載の放送番組処理装置。
【請求項８】
それぞれが少なくとも１つの広告映像データと少なくとも１つの本編映像データとを含む複数の映像データを記憶手段に記憶させる映像データ記録ステップと、
前記記憶手段に記憶される映像データのいずれかに対する再生指示を受ける前に、当該映像データに含まれる広告映像データを、差替用の広告映像データに差替える映像変更ステップと、
前記映像データのいずれかに対する再生指示を受けた場合に、前記広告映像データが差替えられた当該映像データを再生する再生ステップと、
を含むことを特徴とする放送番組処理方法。
【請求項９】
それぞれが少なくとも１つの広告映像データと少なくとも１つの本編映像データとを含む複数の映像データを記憶手段に記憶させる映像データ記録手段、
前記記憶手段に記憶される映像データのいずれかに対する再生指示を受ける前に、当該映像データに含まれる広告映像データを、差替用の広告映像データに差替える映像変更手段、および、
前記映像データのいずれかに対する再生指示を受けた場合に、前記広告映像データが差替えられた当該映像データを再生する再生手段、
としてコンピュータを機能させるためのプログラム。
【請求項１０】
それぞれが少なくとも１つの広告映像データと少なくとも１つの本編映像データとを含む複数の映像データを記憶手段に記憶させる映像データ記録手段、
前記記憶手段に記憶される映像データのいずれかに対する再生指示を受ける前に、当該映像データに含まれる広告映像データを、差替用の広告映像データに差替える映像変更手段、および、
前記映像データのいずれかに対する再生指示を受けた場合に、前記広告映像データが差替えられた当該映像データを再生する再生手段、
としてコンピュータを機能させるためのプログラムを記憶したコンピュータ読み取り可能な記憶媒体。
【請求項１１】
放送番組処理装置が記憶手段に記憶される映像データであって、少なくとも１つの広告映像データと少なくとも１つの本編映像データとを含む映像データに対する再生指示がされる前に当該映像データに含まれる広告映像データを差替えるための差替用の広告映像データを当該放送番組処理装置に向けて送信する送信手段、
を含むことを特徴とする放送局装置。
【請求項１２】
前記送信手段は、前記放送番組処理装置に対し前記映像データに含まれる広告映像データを前記差替用の広告映像データに差替える処理を開始させる開始信号をさらに送信する、
ことを特徴とする請求項１１に記載の放送局装置。
【請求項１３】
放送番組処理装置が記憶手段に記憶される映像データであって、少なくとも１つの広告映像データと少なくとも１つの本編映像データとを含む映像データに対する再生指示がされる前に当該映像データに含まれる広告映像データを差替えるための差替用の広告映像データを当該放送番組処理装置に向けて送信する送信手段、
を含むことを特徴とする情報配信サーバ。
【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
それぞれが少なくとも１つの広告映像データと少なくとも１つの本編映像データとを含む複数の映像データを記憶手段に記憶させる映像データ記録手段と、
前記記憶手段に記憶される映像データのいずれかに対する再生指示を受ける前に、差替対象となる広告映像データと差替えを拒否する広告映像データとを関連づけるブラックリスト情報に基づいて、当該映像データに含まれる広告映像データを、差替用の広告映像データに差替える映像変更手段と、
前記映像データのいずれかに対する再生指示を受けた場合に、前記広告映像データが差替えられた当該映像データを再生する再生手段と、
を含むことを特徴とする放送番組処理装置。
【請求項２】
前記映像変更手段は、予め定められたスケジュールに従って、前記映像データのいずれかに含まれる広告映像データを、差替用の広告映像データに差替える、
ことを特徴とする請求項１に記載の放送番組処理装置。
【請求項３】
前記映像変更手段は、放送信号から予め定められた開始信号を取得した場合に、前記映像データのいずれかに含まれる広告映像データを、前記差替用の広告映像データに差替える、
ことを特徴とする請求項１に記載の放送番組処理装置。
【請求項４】
前記複数の映像データに含まれる広告映像データのそれぞれの有効期限を取得する差替管理情報取得手段をさらに含み、
前記映像変更手段は、前記広告映像データのそれぞれの有効期限に基づいて、前記映像データのいずれかに含まれる広告映像データを、差替用の広告映像データに差替える、
ことを特徴とする請求項１から３のいずれかに記載の放送番組処理装置。
【請求項５】
前記差替用の広告映像データと変更対象となる広告映像データとを対応づける対応情報を取得する差替管理情報取得手段をさらに含み、
前記映像変更手段は、前記各映像データに含まれる前記変更対象となる広告映像データを当該変更対象となる広告映像データに対応する前記差替用の広告映像データに差替える、
ことを特徴とする請求項１から３のいずれかに記載の放送番組処理装置。
【請求項６】
前記差替用の広告映像データと前記差替用の広告映像データを再生する再生条件とを放送局から送信される放送信号または通信回線を介して接続されるサーバから取得する差替映像取得手段をさらに含み、
前記映像変更手段は、前記映像データのいずれかに含まれる広告映像データの１つを再生条件に応じた複数の差替用の広告映像データに差替え、
前記再生手段は、再生時の状況と前記再生条件とに基づいて、前記映像データのいずれかに含まれる１つの広告映像データが差替えられた複数の差替用の広告映像データのうち１つを再生する、
ことを特徴とする請求項１から３のいずれかに記載の放送番組処理装置。
【請求項７】
前記再生条件は、前記差替用の広告映像データを再生する時間帯を含み、
前記再生手段は、再生時刻と前記再生条件とに基づいて、前記映像データのいずれかに含まれる１つの広告映像データが差替えられた複数の差替用の広告映像データのうち１つを再生する、
ことを特徴とする請求項６に記載の放送番組処理装置。
【請求項８】
それぞれが少なくとも１つの広告映像データと少なくとも１つの本編映像データとを含む複数の映像データを記憶手段に記憶させる映像データ記録ステップと、
前記記憶手段に記憶される映像データのいずれかに対する再生指示を受ける前に、差替対象となる広告映像データと差替えを拒否する広告映像データとを関連づけるブラックリスト情報に基づいて、当該映像データに含まれる広告映像データを、差替用の広告映像データに差替える映像変更ステップと、
前記映像データのいずれかに対する再生指示を受けた場合に、前記広告映像データが差替えられた当該映像データを再生する再生ステップと、
を含むことを特徴とする放送番組処理方法。
【請求項９】
それぞれが少なくとも１つの広告映像データと少なくとも１つの本編映像データとを含む複数の映像データを記憶手段に記憶させる映像データ記録手段、
前記記憶手段に記憶される映像データのいずれかに対する再生指示を受ける前に、差替対象となる広告映像データと差替えを拒否する広告映像データとを関連づけるブラックリスト情報に基づいて、当該映像データに含まれる広告映像データを、差替用の広告映像データに差替える映像変更手段、および、
前記映像データのいずれかに対する再生指示を受けた場合に、前記広告映像データが差替えられた当該映像データを再生する再生手段、
としてコンピュータを機能させるためのプログラム。
【請求項１０】
それぞれが少なくとも１つの広告映像データと少なくとも１つの本編映像データとを含む複数の映像データを記憶手段に記憶させる映像データ記録手段、
前記記憶手段に記憶される映像データのいずれかに対する再生指示を受ける前に、差替対象となる広告映像データと差替えを拒否する広告映像データとを関連づけるブラックリスト情報に基づいて、当該映像データに含まれる広告映像データを、差替用の広告映像データに差替える映像変更手段、および、
前記映像データのいずれかに対する再生指示を受けた場合に、前記広告映像データが差替えられた当該映像データを再生する再生手段、
としてコンピュータを機能させるためのプログラムを記憶したコンピュータ読み取り可能な記憶媒体。
【請求項１１】
放送番組処理装置が記憶手段に記憶される映像データであって、少なくとも１つの広告映像データと少なくとも１つの本編映像データとを含む映像データに対する再生指示がされる前に差替対象となる広告映像データと差替えを拒否する広告映像データとを関連づけるブラックリスト情報に基づいて当該映像データに含まれる広告映像データを差替えるための差替用の広告映像データを当該放送番組処理装置に向けて送信する送信手段、
を含むことを特徴とする放送局装置。
【請求項１２】
前記送信手段は、前記放送番組処理装置に対し前記映像データに含まれる広告映像データを前記差替用の広告映像データに差替える処理を開始させる開始信号をさらに送信する、
ことを特徴とする請求項１１に記載の放送局装置。
【請求項１３】
放送番組処理装置が記憶手段に記憶される映像データであって、少なくとも１つの広告映像データと少なくとも１つの本編映像データとを含む映像データに対する再生指示がされる前に差替対象となる広告映像データと差替えを拒否する広告映像データとを関連づけるブラックリスト情報に基づいて当該映像データに含まれる広告映像データを差替えるための差替用の広告映像データを当該放送番組処理装置に向けて送信する送信手段、
を含むことを特徴とする情報配信サーバ。
【国際調査報告】
2013088822.tif 000014
2013088822.tif 000015
2013088822.tif 000016
2013088822.tif 000017